(57)【要約】【課題】高価なスペーサを使わないことでコストダウンを図り、組立作業時の部品点数を削減して作業効率を向上することが可能なプラズマディスプレイおよびパネル取付構造を提供する。【解決手段】ブラケット２０の短手方向垂直断面における略コ字の開口を略閉塞せしめるようにコ字の端部を内側に略垂直に折り曲げることにより、ブラケット上端近くと下端近くに面２２ｆ，２２ｇ，２２ｈから成る階段状の延出面をそれぞれ形成し、この延出面に当接する段部材２２，２３を取り付ける。そして段部材２２，２３に形成された孔２２ｍ、２３ｍを挿通したネジをネジ孔１０ａに締結する。【選択図】図６
2008216814.tif 000002
【特許請求の範囲】
【請求項１】
映像を表示する略矩形の表示面を有するＰＤＰと、
略矩形の開口を有し、該開口を前記表示面に合わせて前記ＰＤＰに取り付けられるフロントキャビネットと、
短手方向垂直断面が略コ字型に形成されると共に、この略コ字の閉口側となる面の長手方向の両端部が前記略コ字型における開口の側に所定角屈曲され、この屈曲された面の端部をさらに前記略コ字型における閉口側の面と略平行となるように屈曲されて筺体当接面が形成され、この筺体当接面が前記フロントキャビネット内側の上隅と下隅とに固定される左右一対のブラケットと、
前記ＰＤＰの背面略中央を上下に延びる仮想線を線対称の軸として上下一対の各対を左右に並べて成る二対のネジ孔と、
略円柱形状であり、この略円柱の軸方向の一端を雄ネジとしつつ他端を雌ネジとし、前記ブラケットの短手方向垂直断面において略コ字の閉口となる面に雌ネジを固定し、前記ネジ孔に雄ネジが固定されるスペーサと、
入力される映像信号に基づいて前記ＰＤＰを駆動する回路が形成されて、前記ＰＤＰの背面に配置される回路基板と、
前記フロントキャビネットに後方から合体して前記ＰＤＰと前記ブラケットと前記スペーサと前記回路基板とを内部に収容するリアキャビネットと、
を備えるプラズマディスプレイにおいて、
前記ブラケットのコ字の端部を短手方向内側に略垂直に折り曲げることにより、コ字の開口において前記ブラケットの上端から上下方向略中央に向けて階段状にパネル背面から遠ざかる３つの面が形成され、該３つの面の内、前記パネル背面に最も近い面と最も遠い面とに第一の孔と前記パネル背面に向かって突出する第一の突起とが形成される第一の段面と、
前記ブラケットのコ字の端部を短手方向内側に略垂直に折り曲げることにより、コ字の開口において前記ブラケットの下端から上下方向略中央に向けて階段状にパネル背面から遠ざかる３つの面が形成され、該３つの面の内、前記パネル背面に最も近い面と最も遠い面とに第二の孔と前記パネル背面に向かって突出する第二の突起とが形成される第二の段面と、
前記第一の段面に対して幅方向の略全面を覆うように当接する段構造を有し、前記第一の段面に当接されたときに前記第一の突起と係合する第三の孔および前記第一の孔の位置と一致する第四の孔とが設けられ、前記第一の突起により前記第一の段面に対して位置決めされ、前記第一の孔と前記第三の穴を挿通するネジで前記第一の段面にネジ固定される第一の段部材と、
前記第二の段面に対して幅方向の略全面を覆うように当接する段構造を有し、前記第二の段面に当接されたときに前記第二の突起と係合する第五の孔および前記第二の孔の位置と一致する第六の孔とが設けられ、前記第二の突起により前記第二の段面に対して位置決めされ、前記第二の孔と前記第五の孔を挿通するネジで前記第二の段面にネジ固定される第二の段部材と、
前記第一の段部材を前記ネジ孔にネジ止めするために、前記第一の段部材において前記ＰＤＰの背面に最も近い段面の略中央に形成される第七の孔と、
前記第一の段部材を前記ネジ孔にネジ止めするために、前記第二の段部材において前記ＰＤＰの背面に最も近い段面の略中央に形成される第八の孔と、
を備えることにより前記スペーサを不要ならしめたことを特徴とするプラズマディスプレイ。
【請求項２】
入力された映像信号に対応する映像を表示面に表示する表示パネルと、略矩形の開口を有するキャビネットと、短手方向垂直断面が略コ字となるように形成されたブラケットと、を備え、
前記表示パネルの背面にはネジ孔が形成されており、前記ブラケットの上端と下端を前記キャビネットに固定するとともに、略円柱形状のスペーサを前記ネジ孔と前記ブラケットとに固定することにより、前記開口から前記表示面が露見するように前記キャビネットを前記表示パネルに取り付けるパネル取付構造において、
前記短手方向垂直断面における略コ字の開口を略閉塞せしめる延出面を前記略コ字の端部から連続して形成し、該延出面に形成された孔に挿通されたネジが前記ネジ孔にネジ止めされることにより、前記スペーサを不要ならしめたことを特徴とするパネル取付構造。
【請求項３】
前記延出面の幅方向の略全面を覆う部材を前記延出面に固定し、該部材に形成された孔に挿通されたネジが前記ネジ孔にネジ止めされる請求項２のパネル取付構造。
【請求項４】
前記延出面は、上下の端部から離れるにつれて前記表示パネルの背面から階段状に遠ざかる複数の面を有する形状であり、
前記部材は前記複数の面のそれぞれに当接する複数の段面を有する請求項３のパネル取付構造。
【発明の詳細な説明】
【技術分野】
【０００１】
本発明は、プラズマディスプレイ及びパネル取付構造に関する。
【背景技術】
【０００２】
プラズマディスプレイには、ＰＤＰをキャビネットに対して固定するためのシャーシブラケット（以下、ブラケットと略す。）と呼ばれる左右一対の部材を備える。このブラケットは、短手方向垂直断面が略コ字型に形成されると共に、該略コ字の閉口側の面の上端と下端とを該略コ字の開口の側に所定角屈曲させ、該屈曲された面の端部を該略コ字の閉口側の面と略平行となるように屈曲させて筺体当接面が形成される。
【０００３】
このブラケットは、筺体当接面がフロントキャビネット内側の上隅と下隅とに固定されており、かつブラケットの略コ字の閉口となる面がスペーサと呼ばれる部材でＰＤＰの背面に固定されている。このスペーサは略円柱形状であり、円柱の軸方向の一端を雄ネジとしつつ他端を雌ネジとされる。ＰＤＰの背面には、背面略中央を上下に延びる仮想線を線対称の軸として上下一対の各対を左右に並べて成る二対のネジ孔が形成されている。スペーサはこのネジ孔に雄ネジを締結し、ブラケットの略コ字の平行となる面に形成された孔から挿入されたネジが雌ネジに締結されることにより、ブラケットとＰＤＰとを接続固定する。
このようにブラケットは、ＰＤＰやＰＤＰの背面に配置される回路基板、キャビネット等を含むセット全体の重量を支える役目を果たしている。
ところで、プラズマディスプレイ等のパネル表示装置において、特殊なスペーサを用いずにパネル背面との間に所定の間隔をあけるための技術として特許文献１〜３記載の技術が知られている。特許文献１には、断面ハット状の部材を開口がパネル背面に向くように取り付けるとともに、この部材に略接触する面をブラケットから側方に切り起し、この部材とブラケットとを固定することによりスペーサを不要ならしめる技術について記載されている。特許文献２には、小型の液晶パネルを収容するためのケースにおいて、リアケース側面の一部を切り欠いた舌片に液晶パネル側へ突出する突出部を設け、この突出部で液晶パネルを支持する技術について記載されている。特許文献３には、ＰＤＰに対して両面テープなどで着脱構造物を接着し、この着脱構造物に対してシャーシベースをネジ固定し、シャーシベースなどをＰＤＰから分離しやすくしたことについて記載されている。
【特許文献１】実用新案登録第３１１８２７５号公報
【特許文献２】特開平１１−２４２４４７号公報
【特許文献３】特開２００５−２２７７７１号公報
【発明の開示】
【発明が解決しようとする課題】
【０００４】
前述した従来のプラズマディスプレイで使用されていたスペーサは、通常１つのプラズマディスプレイにおいて４本使用されていたが、一本当たり１ドルするためコストがかかっていた。また、ブラケットやＰＤＰとは別部品であるため、部品点数が増加して組立作業の効率低下を招いていた。
本発明は、前記課題に鑑みてなされたもので、高価なスペーサを使わないことでコストダウンを図り、組立作業時の部品点数を削減して作業効率を向上することが可能なプラズマディスプレイおよびパネル取付構造の提供を目的とする。
【課題を解決するための手段】
【０００５】
前記課題を解決するために、本発明のパネル取付構造では、入力された映像信号に対応する映像を表示面に表示する表示パネルと、略矩形の開口を有するキャビネットと、短手方向垂直断面が略コ字となるように形成されたブラケットと、を備え、前記表示パネルの背面にはネジ孔が形成されており、前記ブラケットの上端と下端を前記キャビネットに固定するとともに、略円柱形状のスペーサを前記ネジ孔と前記ブラケットとに固定することにより、前記開口から前記表示面が露見するように前記キャビネットを前記表示パネルに取り付けるパネル取付構造において、前記短手方向垂直断面における略コ字の開口を略閉塞せしめる延出面を前記略コ字の端部から連続して形成し、該延出面に形成された孔に挿通されたネジが前記ネジ孔にネジ止めされることにより、前記スペーサを不要ならしめる構成としてある。
【０００６】
即ち、ブラケットを短手方向垂直断面が略コ字となるように形成し、このブラケットの上端と下端をキャビネットに固定すると共に、前記ブラケットと前記ネジ孔とがスペーサで接続されていたパネル取付構造において、前記略コ字の開口を略閉塞せしめる延出面を前記略コ字の端部から連続して形成し、該延出面に形成された孔に挿通されたネジが前記ネジ孔にネジ止めする。この結果、前記ブラケットが前記表示パネルに直接ネジ止めされるため、前記スペーサが不要になり、部品点数の削減によるコストダウンおよび組立作業の効率化が見込める。
【０００７】
前記延出面は前記略コ字の開口に前記略コ字の端部から延出されるため、前記略コ字の開口の前面を覆えない場合が考えられる。例えば、前記略コ字の端部を折り曲げて前記開口を覆う形状に形成すると、前記略コ字の中央部に面が形成されない隙間が存在する等、前記略コ字の両端部から折り曲げられた部位が互いに接続されていない場合が考えられる。そこで、前記延出面の幅方向の略全面を覆う部材を前記延出面に固定し、該部材に形成された孔に挿通されたネジが前記ネジ孔にネジ止めされる構成としてもよい。即ち、前記部材が前記延出面の幅方向を略全面を覆うように前記延出面に固定されることにより、前記延出面を幅方向に連続した面とすることができる。
【０００８】
ところで前記表示パネルの背面にはこの表示パネルを駆動するための回路が形成された回路基板が取り付けられることがある。この回路基板は前記ブラケットと前記表示パネルの背面との間に取り付けられるため、前記ブラケットと回路基板の干渉が懸念される。そこで、前記延出面は、上下の端部から離れるにつれて前記表示パネルの背面から階段状に遠ざかる複数の面を有する形状であり、前記部材は前記複数の面のそれぞれに当接する複数の段面を有する構成としてもよい。
【０００９】
即ち、前記複数の面のうち、前記ネジ孔に固定される面以外は階段状に前記表示パネルの背面から遠ざかり、上下方向において前記ブラケットの中央部では、前記パネル背面と前記ブラケットとの間に回路基板を配置可能なスペースが生ずる。さらに、前記部材を階段状に形成したことによる他の効果として、前記部材が前記ブラケットと前記表示パネルの背面との間の緩衝機能も有することになる。
【００１０】
さらに、本発明のパネル取付構造を採用したプラズマディスプレイでは、映像を表示する略矩形の表示面を有するＰＤＰと、略矩形の開口を有し、該開口を前記表示面に合わせて前記ＰＤＰに取り付けられるフロントキャビネットと、短手方向垂直断面が略コ字型に形成されると共に、この略コ字の閉口側となる面の長手方向の両端部が前記略コ字型における開口の側に所定角屈曲され、この屈曲された面の端部をさらに前記略コ字型における閉口側の面と略平行となるように屈曲されて筺体当接面が形成され、この筺体当接面が前記フロントキャビネット内側の上隅と下隅とに固定される左右一対のブラケットと、前記ＰＤＰの背面略中央を上下に延びる仮想線を線対称の軸として上下一対の各対を左右に並べて成る二対のネジ孔と、略円柱形状であり、この略円柱の軸方向の一端を雄ネジとしつつ他端を雌ネジとし、前記ブラケットの短手方向垂直断面において略コ字の閉口となる面に雌ネジを固定し、前記ネジ孔に雄ネジが固定されるスペーサと、入力される映像信号に基づいて前記ＰＤＰを駆動する回路が形成されて、前記ＰＤＰの背面に配置される回路基板と、前記フロントキャビネットに後方から合体して前記ＰＤＰと前記ブラケットと前記スペーサと前記回路基板とを内部に収容するリアキャビネットと、を備えるプラズマディスプレイにおいて、前記ブラケットのコ字の端部を短手方向内側に略垂直に折り曲げることにより、コ字の開口において前記ブラケットの上端から上下方向略中央に向けて階段状にパネル背面から遠ざかる３つの面が形成され、該３つの面の内、前記パネル背面に最も近い面と最も遠い面とに第一の孔と前記パネル背面に向かって突出する第一の突起とが形成される第一の段面と、前記ブラケットのコ字の端部を短手方向内側に略垂直に折り曲げることにより、コ字の開口において前記ブラケットの下端から上下方向略中央に向けて階段状にパネル背面から遠ざかる３つの面が形成され、該３つの面の内、前記パネル背面に最も近い面と最も遠い面とに第二の孔と前記パネル背面に向かって突出する第二の突起とが形成される第二の段面と、前記第一の段面に対して幅方向の略全面を覆うように当接する段構造を有し、前記第一の段面に当接されたときに前記第一の突起と係合する第三の孔および前記第一の孔の位置と一致する第四の孔とが設けられ、前記第一の突起により前記第一の段面に対して位置決めされ、前記第一の孔と前記第三の穴を挿通するネジで前記第一の段面にネジ固定される第一の段部材と、前記第二の段面に対して幅方向の略全面を覆うように当接する段構造を有し、前記第二の段面に当接されたときに前記第二の突起と係合する第五の孔および前記第二の孔の位置と一致する第六の孔とが設けられ、前記第二の突起により前記第二の段面に対して位置決めされ、前記第二の孔と前記第五の孔を挿通するネジで前記第二の段面にネジ固定される第二の段部材と、前記第一の段部材を前記ネジ孔にネジ止めするために、前記第一の段部材において前記ＰＤＰの背面に最も近い段面の略中央に形成される第七の孔と、前記第一の段部材を前記ネジ孔にネジ止めするために、前記第二の段部材において前記ＰＤＰの背面に最も近い段面の略中央に形成される第八の孔と、を備えることにより前記スペーサを不要ならしめた構成としてある。
【発明の効果】
【００１１】
以上説明したように本発明によれば、スペーサが不要になり、部品点数の削減によるコストダウンおよび組立作業の効率化が見込める。
請求項３に係る発明によれば、延出面を幅方向に連続した面とすることができるため、ブラケットと表示パネルとの固定が容易かつ強固になる。
請求項４に係る発明によれば、表示パネル背面にスペースができるため、表示パネルに入力する映像信号を作り出す回路基板を、表示パネル背面に配置しやすくなる。
さらに請求項１のような、より具体的な構成において、請求項２〜請求項４の各発明と同様の作用を奏することはいうまでもない。
【発明を実施するための最良の形態】
【００１２】
以下、下記の順序に従って本発明の実施形態を説明する。
（１）プラズマディスプレイの概略構成：
（２）パネル取付構造：
（３）まとめ：
【００１３】
（１）プラズマディスプレイの概略構成： 
以下、図１〜図６を参照して本実施形態にかかるプラズマディスプレイについて説明する。本願によるパネル取付構造は、液晶テレビなど薄型テレビや薄型ディスプレイ一般に適用可能であるが、本実施形態においては、プラズマディスプレイを組立てる場合を例に説明を行う。
【００１４】
図１に示すように、プラズマディスプレイ１００は、概略、プラズマディスプレイパネル（ＰＤＰ）１０（表示パネル）と、枠体３０と、キャビネット４０とを組立てて構成する。キャビネット４０は、フロントキャビネット４１とリアキャビネットとによって構成される。図１では、フロントキャビネット４１のみ図示し、リアキャビネットは省略してある。フロントキャビネット４１の前面の略中央には、略矩形の開口４１ａが形成されており、ＰＤＰ１０は、映像を表示する略矩形の表示面１１を開口４１ａに向けて配設され、開口４１ａから表示面１１が露見するようになる。ＰＤＰ１０の背面には、入力される映像信号に基づいて前記ＰＤＰを駆動する回路が形成された回路基板が配置される。
【００１５】
本実施形態では、先ず、ＰＤＰ１０を、その背面側の所定箇所においてブラケット２０に対して固定する。ＰＤＰ１０とブラケット２０との固定手法については後述する。次に、ＰＤＰ１０を支持した状態のブラケット２０と、キャビネット４０とを固定する。
【００１６】
本実施形態では、先ず、ＰＤＰ１０を、その背面側の所定箇所においてブラケット２０に対して固定する。ＰＤＰ１０とブラケット２０との固定手法については後述する。次に、ＰＤＰ１０を支持した状態のブラケット２０と、枠体３０とを固定する。同図に示すように、ブラケット２０の上端である筺体当接面２１ｂと下端である筺体当接面２１ｃとが、夫々ＰＤＰ１０の上下の縁部よりも外側に延出している 。そこで、枠体３０の後方から、ブラケット２０に固定されたＰＤＰ１０を接近させ、筺体当接面２１ｂ，２１ｃを枠体３０の対向する部位に夫々当接させる。そして、当接し合う筺体当接面２１ｂ，２１ｃと枠体３０の部位とを夫々に固定する。固定方法は何ら限定されるものではないが、例えば、互いに対向する筺体当接面２１ｂ，２１ｂと枠体３０の部位とにネジ穴を設け、同ネジ穴を利用して両者をネジ止めする。
【００１７】
枠体３０は、４本の部材から構成される。すなわち、枠体３０の上辺及び下辺となる二本の横部材３１と枠体３０の左右の辺となる二本の縦部材３２とを枠状に組立てて構成する。ここで、枠体３０は、ＰＤＰ１０の周囲四辺を囲うものであるため、その枠の中にＰＤＰ１０を収容できる大きさに、各横部材３１、縦部材３２は設計される。ただし、後述するように、ＰＤＰ１０と枠体３０とが、互いに自重をかけ合わないようにするため、枠体３０は、ＰＤＰ１０の四辺の縁部が枠体３０の内側壁面３３に接触せずに同ＰＤＰ１０を内部に収容できるだけの大きさに設計する。
【００１８】
ブラケット２０によって、ＰＤＰ１０と枠体３０とが夫々固定されたら、固定具９０を用いて、同枠体３０に対して光学フィルタ８０を固定する。具体的には、枠体３０の前面側の左右縁部、すなわち縦部材３２の前面側においては、第一固定具９１によって光学フィルタ８０の左右端部を固定する。また、枠体３０の前面側の上下縁部、すなわち横部材３１の前面側においては、第二固定具９２によって光学フィルタ８０の上下端部を夫々固定する。
【００１９】
前記光学フィルタ８０を固定したら、次にフロントキャビネット４１を固定する。すなわち、フロントキャビネット４１を枠体３０の外側に被せるようにして、両者を複数箇所で固定する。ここでも、固定方法は限定されないが、例えば、枠体３０側にネジ穴を設け、フロントキャビネット４１側にボスを形成し、同ネジ穴と同ボスに形成されたボス穴とをネジ止めして、両者を固定する。或いは、フロントキャビネット４１の内側に形成した爪部を、枠体３０に形成した凹部に引掛けて、両者を固定しても良い。そして、後方からリアキャビネットを枠体３０に対して固定してフロントキャビネット４１とリアキャビネットとを合体させれば、プラズマディスプレイ１００の略全体の組立が終わる。なお、以下においてフロントキャビネット４１とリアキャビネットとの両方を指す場合は、キャビネット４０と称する。
【００２０】
（２）パネル取付構造： 
以下、図２〜図６を参照して、本実施形態のブラケット２０について詳説する。図２はブラケット２０をＰＤＰ１０の背面に取り付ける様子を示した斜視図、図３はブラケット２０の分解斜視図、図４はブラケット２０の背面図、図５はブラケット２０の正面図、図６はブラケット２０の要部を示す左側面図、である。
【００２１】
前述したように、ＰＤＰ１０は、その背面側にブラケット２０が固定される。ＰＤＰ１０の背面側には、従来のスペーサを取り付けるためのネジ孔１０ａが４つ形成されている。これらのネジ孔１０ａは、上下に並んだ２個が組となり、ＰＤＰの背面略中央を線対称の軸として略左右対称となるように各組が互いに左右方向にオフセットして形成される。これらのネジ孔１０ａに対し、上下に長くなるように配向された２本のブラケット２０が各組の形成位置に合わせて配置され、ネジ止めされる。
【００２２】
ブラケット２０は、本体２１に段部材２２，２３を取り付けて構成される。本体２１は、長板状部材の上端部位と下端部位とを、この長板状部材の同じ面側に夫々所定の角度に屈曲させる。そして、同屈曲させた上端部位および下端部位の各先端部を、長板状部材の上端部位と下端部位とを接続する部位と略平行となるように再度屈曲させる。ここで、長板状部材の上端部位と下端部位とを接続する部位を面２１ａとする。また、面２１ａと略平行となるように屈曲させた上端部位の先端部を筺体当接面２１ｂとし、面２１ａと略平行となるように屈曲させた下端部位の先端部を筺体当接面２１ｃとする。さらに、面２１ａと筺体当接面２１ｂとを接続する部位と、面２１ａと筺体当接面２１ｃとを接続する部位とを、ぞれぞれ接続面２１ｄ，２１ｅとする。
【００２３】
また、長板状部材の左端部位と右端部位は、上端部位や下端部位が屈曲された面と同じ側に略直角に屈曲されて短手方向垂直断面が略コ字型に形成されると共に、このコ字の端部を内側に略垂直に折り曲げて面２１ａと略平行な延出面が形成される。この延出面が形成されることにより、ブラケット２０の短手方向略垂直断面のコ字の開口が略閉塞されて、ブラケット２０は上下に通路を形成する略パイプ状となる。
【００２４】
延出面は、コ字の端部における折り曲げ位置が調整されることにより、面２１ａからの距離を異ならせた複数の面（本実施形態では３つの面）が形成される。まず、本体２１の上下方向略中央の区間で面２１ａに最も近い面２１ｆとし、筺体当接面２１ｂ，２１ｃに近い区間で最も遠い面２１ｈとし、面２１ｆと面２１ｈの間の区間をその中間距離の面２１ｇとする。即ち、面２１ｇと面２１ｈは、上端部位と下端部位の近くに１つずつ形成される。これにより、ブラケット２０の上端から上下方向略中央に向けて階段状にＰＤＰ１０背面から遠ざかる３つの面、及びブラケット２０の下端から上下方向略中央に向けて階段状にＰＤＰ１０背面から遠ざかる３つの面、がコ字の開口に形成される。
【００２５】
以上、ブラケット２０の上端に形成される面２１ｈ，２１ｇ及び面２１ｆの上端部が第一の段構造を構成し、ブラケット２０の下端に形成される面２１ｈ，２１ｇ及び面２１ｆの下端部が第二の段構造を構成する。
【００２６】
上端部位近くの面２１ｈ，２１ｇ，２１ｆにかけて形成される段構造には、この段構造と略一致する段面を有する段部材２２（第一の段部材）が取り付けられる。この段面は、面２２ｆ，２２ｇ，２２ｈから構成される。同様に、下端部位近くの面２１ｈ，２１ｇ，２１ｆにかけて形成される段構造にも、この段構造と略一致する段面を有する段部材２３（第二の段部材）が取り付けられる。この段面は、面２３ｆ，２３ｇ，２３ｈから構成される。これら段部材２２，２３は、面２１ｈ，２１ｇ，２１ｆに対して幅方向の略全面を覆うように形成される。これら段部材２２，２３は、本体２１を作成する長板状部材の不要部分を使用して作成されてもよい。
【００２７】
面２１ｈには、ＰＤＰ１０の背面に向かって突出するようにハーフパンチにより形成される突起２１ｉ、面２１ｈを貫通する孔２１ｊ、が形成される。同様に、面２１ｆにおいて面２２ｆや面２３ｆが当接する部位には、ＰＤＰ１０の背面に向かって突出するようにハーフパンチにより形成される突起２１ｋと面２１ｈを貫通する孔２１ｌが形成される。
【００２８】
段部材２２，２３には面２１ｆ〜２１ｈに形成される突起や孔に合わせて孔が形成される。面２２ｈには突起２１ｉに係合する孔２２ｉと孔２１ｊに一致する孔２２ｊが、面２３ｈには突起２１ｉに係合する孔２３ｉと孔２１ｊに一致する孔２３ｊが、面２２ｆには突起２１ｋに係合する孔２２ｋと孔２１ｌに一致する孔２２ｌが、面２３ｆには突起２１ｋに係合する孔２３ｋと孔２１ｌに一致する孔２３ｌが、それぞれ形成される。
【００２９】
段部材２２，２３を延出面に対して当接させる際には、ブラケット２０上端の面２１ｈに形成される突起２１ｉ（第一の突起）を孔２２ｉ（第三の孔）に、ブラケット２０下端の面２１ｈに形成される突起２１ｉ（第二の突起）を孔２３ｉ（第五の孔）に、面２１ｆの上端に形成される突起２１ｋ（第一の突起）を孔２２ｋ（第三の孔）に、面２１ｆの下端に形成される突起２１ｋ（第二の突起）を孔２３ｋ（第五の孔）に、それぞれ係合させて位置決めとする。
【００３０】
そして、当接された段部材２２，２３を本体２１に固定する。即ち、ブラケット２０上端の面２１ｈに形成される孔２１ｊ（第一の孔）と孔２２ｉ（第四の孔）に、面２１ｆの上端に形成される孔２１ｌ（第二の孔）と孔２２ｌ（第六の孔）に、ブラケット２０下端の面２１ｈに形成される孔２１ｊ（第一の孔）と孔２３ｊ（第四の孔）に、面２１ｆの下端に形成される孔２１ｌ（第二の孔）と孔２３ｌ（第六の孔）に、それぞれネジを挿通して締結する。
【００３１】
面２１ｆ，２１ｇ，２１ｈは、ブラケット２０の左右側面から折り曲げて形成されるため、その面の左右方向略中央にて上下に延びる隙間が形成される。また、これら面２１ｆ，２１ｇ，２１ｈに取り付けられる段部材の面２２ｈ，２３ｈには、本体２１に取り付けられたときにこの隙間に面する部位に各々孔２２ｍ（第七の孔），２３ｍ（第八の孔）が設けられる。これらの孔にネジを挿通して、ネジ孔１０ａにネジ止めすることにより、ブラケット２０がＰＤＰの背面に固定される。さらに、本体２１において、孔２２ｍ，２３ｍの背面側となる部位に開口２１ｍを設けると、この開口２１ｍからドライバ等の工具の先端を挿入してネジ止め可能となり、組立作業が容易となる。
【００３２】
（３）まとめ： 
つまり、ブラケット２０の短手方向垂直断面における略コ字の開口を略閉塞せしめるようにコ字の端部を内側に略垂直に折り曲げることにより、ブラケット上端近くと下端近くに面２２ｆ，２２ｇ，２２ｈから成る階段状の延出面をそれぞれ形成し、この延出面に当接する段部材２２，２３を取り付ける。そして段部材２２，２３に形成された孔２２ｍ、２３ｍを挿通したネジをネジ孔１０ａに締結する。これにより、高価なスペーサを使わずに済み、コストダウンと、作業効率を向上が可能となる。
【００３３】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【図面の簡単な説明】
【００３４】
【図１】プラズマディスプレイの分解斜視図である。
【図２】ＰＤＰとブラケットとを固定する状況を示した斜視図である。
【図３】ブラケットの斜視図である。
【図４】ブラケットに保持金具を取り付けた状態の背面図である。
【図５】ブラケットに保持金具を取り付けた状態の正面図である。
【図６】ブラケットに保持金具を取り付けた状態の要部左側面図である。
【符号の説明】
【００３５】
１０…プラズマディスプレイパネル、１０ａ…ネジ孔、１１…表示面、２０…ブラケット、２１…本体、２１ａ…面、２１ｂ，２１ｃ…筺体当接面、２１ｄ，２１ｅ…接続面、２１ｆ，２１ｇ，２１ｈ…面、２１ｉ…突起、２１ｊ…孔、２１ｋ…突起、２１ｌ…孔、２１ｍ…開口、２２…段部材、２２ｆ，２２ｇ，２２ｈ…面、２２ｉ，２２ｊ，２２ｋ，２２ｌ…孔、２２ｍ…孔、２３…段部材、２３ｆ，２３ｇ，２３ｈ…面、２３ｉ，２３ｊ，２３ｋ，２３ｌ…孔、２３ｍ…孔、３０…枠体、３１…横部材、３２…縦部材、３３…内側壁面、４０…キャビネット、４１…フロントキャビネット、４１ａ…開口、８０…光学フィルタ、９０…固定具、９１…第一固定具、９２…第二固定具、１００…プラズマディスプレイ
【図１】
2008216814.tif 000003
【図２】
2008216814.tif 000004
【図３】
2008216814.tif 000005
【図４】
2008216814.tif 000006
【図５】
2008216814.tif 000007
【図６】
2008216814.tif 000008